【事件の表示】
　特許第３１３９０１３号「田植機の苗送り装置」の請求項１に係る特許に対する特許異議の申立てについて、次のとおり決定する。
【結　論】
　訂正を認める。
　特許第３１３９０１３号の請求項１に係る特許を維持する。
【理　由】
１．手続の経緯
　本件特許第３１３９０１３号の請求項１に係る発明についての出願は、平成２年１０月１７日に特許出願され、平成１２年１２月１５日にその発明について特許の設定登録がされ、その後、その特許について、特許異議申立人　ヤンマー農機株式会社より特許異議の申立てがなされ、取消理由が通知され、その指定期間内である平成１３年１２月２８日に特許異議意見書及び訂正請求書が提出された後、審尋がなされたが審尋に対する回答書が提出されなかったものである。
２．訂正請求について
２-1．訂正の内容
　特許権者が求めている訂正の内容は、下記訂正事項(a)、(b)のとおりである（下線部が訂正個所である）。
訂正事項(a)
　願書に添付した明細書（以下、「特許明細書」という。）の特許請求の範囲の請求項１の、
　「複数条分の苗取出口と、各苗取出口へ苗を送る複数の苗送りベルトとが設けられた苗載台を有する田植機において、前記苗送りベルトが当該ベルトを駆動する苗送りローラと苗送りローラ軸とともに単独条又は隣接する２条分を１組として他のものから独立に着脱自在に設けられていることを特徴とする田植機の苗送り装置。」の記載を、
　「複数条分の苗取出口と、各苗取出口へ苗を送る複数の苗送りベルトとが設けられた苗載台を有する田植機において、
苗載台横送り軸の延長軸から前記苗送りベルトを駆動する苗送りローラの苗送りローラ軸への伝動が、当該ローラ軸と平行に支承された中間軸を経由して伝動される構成として、
訂正事項(b)
　特許明細書の発明の詳細な説明の欄の［課題を解決するための手段］の項（特許明細書第２頁第１８行〜第３頁第６行）の、
　「［課題を解決するための手段］
　上記課題を解決するために、本発明は次のような構成とした。
　すなわち、本発明に係る苗送り装置は、複数条分の苗取出口と、各苗取出口へ苗を送る複数の苗送りベルトとが設けられた苗載台を有する田植機において、前記苗送りベルトが当該ベルトを駆動する苗送りローラと苗送りローラ軸とともに単独条又は隣接する２条分を１組として他のものから独立に着脱自在に設けられていることを特徴としている。」の記載を、
　「［課題を解決するための手段］
　上記課題を解決するために、本発明は次のような構成とした。
　すなわち、本発明に係る苗送り装置は、複数条分の苗取出口と、各苗取出口へ苗を送る複数の苗送りベルトとが設けられた苗載台を有する田植機において、
苗載台横送り軸の延長軸から前記苗送りベルトを駆動する苗送りローラの苗送りローラ軸への伝動が、当該ローラ軸と平行に支承された中間軸を経由して伝動される構成として、
２-2．訂正の適否
　上記訂正事項(a) によれば、「苗載台横送り軸の延長軸から前記苗送りベルトを駆動する苗送りローラの苗送りローラ軸への伝動が、当該ローラ軸と平行に支承された中間軸を経由して伝動される構成として、」を付加する訂正（以下、「本件訂正事項」という。）を含むものである。
　そこで、先ず本件訂正事項の目的についてみると、本件訂正事項は、苗送りベルトを駆動する苗送りローラの苗送りローラ軸への伝動を限定するものであって、特許請求の範囲の減縮を目的とするものである。
　そして、本件訂正事項に関し、特許明細書の記載事項についてみると、特許明細書第１１頁第１６行〜第１２頁第３行には、「さらに、苗載台７５側には苗送りローラ軸１４３，…と平行に１本の中間軸１５４が支承されており、この中間軸１５４に前記中間軸駆動ギヤ１５２に噛合する中間軸従動ギヤ１５５と、苗送りローラ軸１４３，…の中央部に取り付けた苗送り従動ギヤ１５６，…に噛合する苗送り駆動ギヤ１５７，…が取り付けられている。」と記載され、同第１３頁第１行〜第７行には、「また、苗載台横送り軸の延長軸１４５から苗送りローラ軸１４３に直接伝動するのではなく、延長軸から中間軸１５４に一旦伝動したのち該中間軸から苗送りローラ軸１４３に伝動する構成とすることにより、苗送りローラ軸１４３を条ごとに独立に設けることが可能となっている。」と記載されている、とともに願書に添付した図面第２図及び第３図には、苗載台横送り軸１１１の延長軸１４５から苗送りベルトを駆動する苗送りローラ１４０の苗送りローラ軸１４３への伝動が、当該ローラ軸１４３と平行に支承された中間軸１５４を経由して伝動する構成とすることが明確に記載されている。したがって、本件訂正事項は、願書に添付した明細書又は図面に記載した事項の範囲内の訂正であって、新規事項を追加するものではない。
　しかも、本件訂正事項により、実質上特許請求の範囲を拡張し、又は変更するものではない。
　また、上記訂正事項(b) は、発明の詳細な説明を、特許請求の範囲の訂正内容と整合させるためのものであって、明りょうでない記載の釈明を目的とするものであり、新規事項を追加するものではなく、実質上特許請求の範囲を拡張し、又は変更するものではない。
２-3．むすび
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める。
３．特許異議の申立てについて
３-1．申立ての理由の概要
　特許異議申立人　ヤンマー農機株式会社は、甲第１号証［実願昭５９−１３６０２８号（実開昭６１−５０５３２号）の願書に添付された明細書及び図面の内容を撮影したマイクロフィルム］及び甲第２号証［実願昭５４−１２８３９５号（実開昭５６−４５２１７号）の願書に添付された明細書及び図面の内容を撮影したマイクロフィルム］を提出し、本件発明は、甲第１号証記載の発明に基づいて、又は甲第１号証及び甲第２号証記載の発明に基づいて容易に発明をすることができたものでるから、本件特許は、特許法第２９条第２項の規定に違反してされたものであり、特許法第１１３条第１項第２号の規定により取り消されるべきである、旨主張する。
３-2．本件発明
　平成１３年１２月２８日付けで提出された訂正明細書の請求項１に係る発明（以下、「本件発明」という。）は、その特許請求の範囲の請求項１に記載されたとおりの、
「複数条分の苗取出口と、各苗取出口へ苗を送る複数の苗送りベルトとが設けられた苗載台を有する田植機において、苗載台横送り軸の延長軸から前記苗送りベルトを駆動する苗送りローラの苗送りローラ軸への伝動が、当該ローラ軸と平行に支承された中間軸を経由して伝動される構成として、前記苗送りベルトが当該ベルトを駆動する苗送りローラと苗送りローラ軸とともに単独条又は隣接する２条分を１組として他のものから独立に着脱自在に設けられていることを特徴とする田植機の苗送り装置。」
である。
３-3．甲号証載の発明
　甲第１号証には、
　「本考案は、苗の横送りと連動させて苗の縦送りを行う田植機の苗縦送り装置に関する。」（明細書第１頁第１２行〜第１３行）、
　「また前記横送り軸(33)両側端部にこれと一体回動させる縦送り駆動カム(38a)(38b)を設けると共に、左右植付ケース(17a)(17b)の植付爪(14)(14)に対応させる左右二条毎の縦送り軸(39a)(39b)を夫々苗載台(13)の傾斜下端近傍の下面に横架させ、苗載台(13)の横送り距離だけ間隔を隔てて左右一対の縦送り従動カム(40)(40)を前記縦送り軸(39a)(39b)に設ける一方、前記縦送り軸(39a)(39b)とこの軸(39a)(39b)の傾斜上方で苗載台(13)の下面に横架する支軸(41)に苗載台(13)の各条毎にローラ(42)…を支承し、前記ローラ(42)…を介して前記軸(39a)(39b)と支軸(41)間に苗載台(13)上面の苗マットを間欠的に苗載台(13)傾斜下端の苗取出し部に搬送するスパイクベルト(43)…を苗載台(13)上面に臨ませてこの各条毎に張設させ、常時回転する駆動カム(38a)(38b)に、縦送り軸(39a)(39b)にそれぞれ軸架した従動カム(40)(40)を前記苗載台(13)の左右移動終端で接触させ、一方向クラッチを介して一方向に一定角度従動カム(40)…を回転させ、左右一対の従動カム(40)(40)の何れか一方の従動カム(40)に付勢する復帰バネ(44)力でもって従動カム(40)(40)が戻り回転するとき、縦送り軸(39a)(39b)も一体回動し、前記スパイクベルト(43)…でもって苗マットを苗載台(13)の傾斜下端側の苗取出し部に下動させるように構成している。」（同第５頁第１０行〜第６頁第１５行）が、図面とともに記載されている。
　上記記載事項及び図面第１図、第４図の記載からみて、甲第１号証には、「傾斜下端に設けた複数条分の苗取出し部と、各苗取出し部へ苗を送る複数のスパイクベルト(43)…とが設けられた苗載台(13)を有する田植機において、苗載台(13)を左右往復移動させる横送り軸(33)の延長軸から前記スパイクベルト(43)を駆動するローラ(42)…の縦送り軸(39a)(39b)へ伝動される構成とし、前記スパイクベルト(43)が当該ベルトを駆動するローラ(42)…と縦送り軸(39a)又は(39b)とともに隣接する２条分を１組として他のものから独立に設けられている田植機の苗縦送り装置」が記載されている。
　また、甲第２号証には、
　「前記苗供給装置(5)は次の如く構成してある。
　すなわち、第１図乃至第３図に示すように、前記苗植付装置(4)に各別に供給する４枚のマット状苗群(9a)，(9b)を左右に並列載置するべく構成した傾斜苗のせ台(10)を、下端側に形成してある４個の苗供給口が苗植付装置(4)夫々の苗植付爪(4a)の回動軌跡に臨む状態で、かつ、苗植付装置(4)の運動に連動して機体左右に間欠的に往復動するべく構成した状態で苗植付装置(4)の前方側に配設してある。前記苗のせ台(10)に、並置苗群(9a)，(9b)に対して各別にそれを苗供給口側に移送するべく作用する４個のベルトコンベア(11)・・をそれらコンベア毎に装備させてある４個の流体圧モータ(M)・・により各別な駆動を可能にした状態で設け」（明細書第３頁第３行〜第１７行）ることが、図面とともに記載されている。
３-4．対比、判断
　本件発明と甲第１号証記載の発明とを対比すると、甲第１号証記載の発明における「苗取出し部」、「スパイクベルト(43)…」、「苗載台(13)を左右往復移動させる横送り軸(33)」、「ローラ(42)…」及び「縦送り軸(39a)(39b)」は、その機能に照らし、本件発明における「苗取出口」、「苗送りベルト」、「苗載台横送り軸」、「苗送りローラ」及び「苗送りローラ軸」にそれぞれ相当する。
　そうすると、上記両者は、複数条分の苗取出口と、各苗取出口へ苗を送る複数の苗送りベルトとが設けられた苗載台を有する田植機において、苗載台横送り軸の延長軸から前記苗送りベルトを駆動する苗送りローラの苗送りローラ軸へ伝動される構成として、前記苗送りベルトが当該ベルトを駆動する苗送りローラと苗送りローラ軸とともに隣接する２条分を１組として他のものから独立に設けられている田植機の苗送り装置の点で一致し、下記（ａ）、（ｂ）の点で相違している。
（ａ）本件発明では、苗載台横送り軸の延長軸から苗送りローラ軸への伝動が、当該ローラ軸と平行に支承された中間軸を経由して伝動される構成としているのに対し、甲第１号証記載の発明では、苗載台横送り軸の延長軸から苗送りローラ軸へ直接伝動がなされ、中間軸を経由して伝動される構成ではない点。
（ｂ）本件発明では、隣接する２条分を１組として他のものから独立に着脱自在に設けられているのに対し、甲第１号証記載の発明では、隣接する２条分を１組として他のものから独立に設けられてはいるが、他のものから独立に着脱自在に設けられているかどうか明らかでない点。
　まず、相違点（ａ）について検討すると、甲第２号証には、「複数条分の苗取出口と、各苗取出口へ苗を送る複数のベルトコンベア(11)・・（苗送りベルトに相当）とが設けられた苗のせ台(10)（苗載台に相当）を有する田植機において、ベルトコンベア(11)・・が当該ベルトを駆動するローラ及び流体圧モータ(M)・・により駆動されるローラ軸とともに単独条を１組として他のものから独立に設けられた田植機の苗送り装置」が記載され、甲第２号証記載のものは、苗送りベルトを駆動するローラ軸を流体圧モータ(M)・・で直接駆動するものであって、苗載台横送り軸の延長軸から苗送りローラ軸へ伝動するものとは苗送りローラ軸への伝動方式が相違し、かつローラ軸を駆動するのに中間軸を必要としないものである。
　結局、甲第１又は２号証には、「苗載台横送り軸の延長軸から苗送りベルトを駆動する苗送りローラの苗送りローラ軸への伝動が、当該ローラ軸と平行に支承された中間軸を経由して伝動される構成」について記載も、示唆もないものである。
　してみると、相違点（ａ）における本件発明の構成を採用することが、甲第１号証記載のものから容易であるとも、また甲第１号証及び甲第２号証記載のものから容易であるとも認めることができない。
　また、相違点（ｂ）について検討すると、甲第１号証には、隣接する２条分を１組として他のものから独立に着脱自在に設ける点、特に他のものから独立に着脱自在に設ける点について記載はないが、隣接する２条分を１組として他のものから独立に設ける構成が記載されている以上、独立に設けたものをそれを１組として他のものから独立に着脱自在とすることは機械を設計する上で普通に採用される事項と認められるから、甲第１号証記載のものにおいて、隣接する２条分を１組として他のものから独立に着脱自在に設ける程度のことは、当業者が容易になし得ることである。
　そして、本件発明は、請求項１記載の構成を具備することにより明細書記載の格別の作用、効果を奏するものと認められる。
　したがって、本件発明は、相違点（ｂ）における本件発明の構成を採用することが容易であるとしても、相違点（ａ）における本件発明の構成を採用することが容易とはいえず、本件発明が、甲第１号証及び甲第２号証記載の発明に基づいて当業者が容易に発明をすることができたものとは認めることができない。
３-5．むすび
　以上のとおりであるから、特許異議申立ての理由及び証拠によっては、本件発明についての特許を取り消すことはできない。
　また、他に本件発明についての特許を取り消すべき理由を発見しない。
　よって、結論のとおり決定する。
【異議決定日】
平成１４年６月２４日（２００２．６．２４）
【訂正の要旨】
訂正の要旨
　特許第３１３９０１３号発明の特許明細書を訂正請求書に添付した訂正明細書のとおりに訂正するもので、その訂正の内容は、特許請求の範囲の減縮を目的として下記（ａ）のとおりに訂正し、明りょうでない記載の釈明を目的として下記（ｂ）のとおりに訂正する。
（ａ）願書に添付した明細書（以下、「特許明細書」という。）の特許請求の範囲の請求項１の、
　「複数条分の苗取出口と、各苗取出口へ苗を送る複数の苗送りベルトとが設けられた苗載台を有する田植機において、前記苗送りベルトが当該ベルトを駆動する苗送りローラと苗送りローラ軸とともに単独条又は隣接する２条分を１組として他のものから独立に着脱自在に設けられていることを特徴とする田植機の苗送り装置。」の記載を、
　「複数条分の苗取出口と、各苗取出口へ苗を送る複数の苗送りベルトとが設けられた苗載台を有する田植機において、苗載台横送り軸の延長軸から前記苗送りベルトを駆動する苗送りローラの苗送りローラ軸への伝動が、当該ローラ軸と平行に支承された中間軸を経由して伝動される構成として、前記苗送りベルトが当該ベルトを駆動する苗送りローラと苗送りローラ軸とともに単独条又は隣接する２条分を１組として他のものから独立に着脱自在に設けられていることを特徴とする田植機の苗送り装置。」と訂正する。
（ｂ）特許明細書の発明の詳細な説明の欄の［課題を解決するための手段］の項（特許明細書第２頁第１８行〜第３頁第６行）の「［課題を解決するための手段］
　上記課題を解決するために、本発明は次のような構成とした。
　すなわち、本発明に係る苗送り装置は、複数条分の苗取出口と、各苗取出口へ苗を送る複数の苗送りベルトとが設けられた苗載台を有する田植機において、前記苗送りベルトが当該ベルトを駆動する苗送りローラと苗送りローラ軸とともに単独条又は隣接する２条分を１組として他のものから独立に着脱自在に設けられていることを特徴としている。」の記載を、
　「［課題を解決するための手段］
　上記課題を解決するために、本発明は次のような構成とした。
　すなわち、本発明に係る苗送り装置は、複数条分の苗取出口と、各苗取出口へ苗を送る複数の苗送りベルトとが設けられた苗載台を有する田植機において、苗載台横送り軸の延長軸から前記苗送りベルトを駆動する苗送りローラの苗送りローラ軸への伝動が、当該ローラ軸と平行に支承された中間軸を経由して伝動される構成として、前記苗送りベルトが当該ベルトを駆動する苗送りローラと苗送りローラ軸とともに単独条又は隣接する２条分を１組として他のものから独立に着脱自在に設けられていることを特徴としている。」と訂正する。
（５４）【発明の名称】
田植機の苗送り装置
（５７）【特許請求の範囲】
　【請求項１】複数条分の苗取出口と、各苗取出口へ苗を送る複数の苗送りベルトとが設けられた苗載台を有する田植機において、
苗載台横送り軸の延長軸から前記苗送りベルトを駆動する苗送りローラの苗送りローラ軸への伝動が、当該ローラ軸と平行に支承された中間軸を経由して伝動される構成として、
【発明の詳細な説明】
［産業上の利用分野］
　本発明は、田植機において苗載台上の苗を苗取出口の方向に移送する苗送り装置に関するものである。
［従来の技術］
　植付部の機枠に対し苗載台を左右に往復動することにより、該苗載台上の最下段の苗を所定の苗取出口に順次供給するとともに、苗載台が左右行程の端部に到達するとベルト式の苗送り装置が作動し、苗載台上の苗群全体を１段分下方に移送するように構成された田植機が広く使用されている。
　この種の田植機の苗送り装置は、機枠側の苗載台横送り用回転軸（苗載台横送り軸）に駆動苗送りアームが、また苗載台側の苗送りローラ軸に従動苗送りアームがそれぞれ取り付けられており、苗載台が左右行程の端部に到達すると、両軸の苗送りアームが互いに掛合して苗送りローラ軸が所定量回転し、苗送りローラ軸に掛けた苗送りベルトが一定距離移動するようになっている。
［発明が解決しようとする課題］
　上記従来の苗送り装置は、苗載台横送り軸から苗送りローラ軸へ直接伝動するようになっており、苗送りローラ軸を各条共通の１本の軸で成形していたので、条ごとに苗送りベルトを着脱することができず、一部の苗送りベルトが損傷した場合に修理が困難であった。
［課題を解決するための手段］
　上記課題を解決するために、本発明は次のような構成とした。
　すなわち、本発明に係る苗送り装置は、複数条分の苗取出口と、各苗取出口へ苗を送る複数の苗送りベルトとが設けられた苗載台を有する田植機において、
苗載台横送り軸の延長軸から前記苗送りベルトを駆動する苗送りローラの苗送りローラ軸への伝動が、当該ローラ軸と平行に支承された中間軸を経由して伝動される構成として、
［作用］
　苗送りベルトが、当該ベルトを駆動する苗送りローラと苗送りローラ軸とともに単独条又は隣接する２条分を１組として他のものから独立に着脱可能に設けられているので、苗送り装置のメンテナンスが容易である。
［実施例］
　以下、図面にあらわされた実施例について説明する。
　第４図および第５図は本発明の１実施例をあらわし、この田植機１は、走行車体である本機２の後部に設けたリンク装置３に６条植の植付部４が装着されているとともに、さらにこれとは別に施肥装置５が設けられており、全体で乗用施肥田植機となっている。
　本機２は、前後に長い平面視方形のフレーム６を備え、該フレームの中間部後方寄りの位置にエンジン１０が、その前方にミッションケース１１がそれぞれ配設されている。なお、ミッションケース１１は、その後部上面に油圧ポンプ１２が一体に組み付けられているとともに、その前部からステアリングポスト１３が上方に突設されている。そして、ミッションケース１１の側方に前輪支持ケース１４，１４が変向可能に設けられ、その下端部に前輪１５，１５が軸支されている。また、フレーム６の後端部に突設したローリング軸１６にローリング杆１７が左右にローリング自在に支持され、その左右両端部に取り付けた後輪支持ケース１８，１８に後輪１９，１９が軸支されている。これらの上に操縦用のステップとなるカバー２０が取り付けられ、エンジン１０の上方部に操縦席２１が設置されている。
　エンジン出力軸１０ａに取り出されたエンジン出力はベルト２３を介して油圧ポンプ駆動軸１２ａに伝えられ、さらに該油圧ポンプ駆動軸からベルト２４を介してミッション入力軸１１ａに伝えられる。ベルト２４が掛けられているプーリ２５，２６はベルト溝の幅を調節可能に構成されており、該ベルト溝幅を調節してプーリ２５，２６の有効径を変えることにより、伝動比を連続的に変化させることができる。すなわち、油圧ポンプ駆動軸１２ａからミッション入力軸１１ａへの伝動部がベルト無断変速式の副変換装置として構成されている。ミッション入力軸１１ａからミッションケース１１への入力部に図示を省略したメインクラッチが設けられ、ミッションケース１１の内部には主変速装置、株間変速装置、後輪デフ装置、前輪デフ装置、後輪ブレーキ装置等が収納されている。ミッションケース１１から前輪駆動出力、後輪駆動出力および作業出力が取り出され、前輪駆動出力は前輪支持ケース１４，１４に伝えられ、後輪駆動出力は後輪伝導率２８，２８を介して後輪支持ケース１８，１８に伝えられ、また作業出力は植付部伝動軸２９を介してエンジン１０の斜め後方部に設けた植付クラッチケース３０に伝えられる。植付クラッチケース３０からＰＴＯ軸３２と施肥伝動軸３３が突出している。
　リンク装置３は、フレーム６の後端部に立設したリンクベース枠６０に１本の上リンク６１と２本の下リンク６２，６２が回動自在に支持され、これら上下リンクの後端部に連結枠６４が取り付けられている。連結枠６４から後方に突設したローリング軸６５に植付部４がローリング可能に装着される。リンク装置３の駆動手段である油圧シリンダ６７は、基部がフレーム６に枢着され、ピストンロッドの先端部が上リンク６１の基部から垂設したスイングアーム６８の下端部に連結されている。油圧シリンダ６７を伸縮させると、連結枠６４がほぼ一定姿勢に保持されたままで上下動させられ、これに装着した植付部４が昇降させられる。
　植付部４は、第１図乃至第３図に示すように、前記ＰＴＯ軸３２を介して本機２から伝動される伝動ケース７０と、該伝動ケースの両側面部に突設した伝動パイプ７１，…と、伝動ケース７０の中央部および伝動パイプ７１，７１の両端部から後方に延設した３個のチエンケース７２，…とで植付部フレームが構成され、各チエンケース７２，…の後端部両側に１組づつ計６組の植付装置７４，…が設けられている。植付装置７４，…の上側には、前側が上位となるように傾斜させた苗載台７５が支持枠７７とレール７９によって左右に滑動自在に支持されている。苗載台７５の上面は植付条数分（図示例では６）の苗載部７５ａ，…に仕切られており、各苗載部ごとに苗を下方に送るベルト式の苗送り装置８１，…が設けられている。また、苗載台の下端部には、植付装置７４，…に対応する苗取出口８２，…が形成された受板８３が支持枠７７と一体に設けられている。
　第３図は展開してあわらした植付部フレームの断面図であり、図示の如く伝動ケース７０は上部ケース７０ａ、下部ケース７０ｂおよび連結部７０ｃからなり、下部ケース７０ｂの両端部に伝動パイプ７１，７１が接続されている。これら下部ケース７０ｂと伝動パイプ７１，７１内には、ベベルギヤ９０，９１を介してＰＴＯ軸３２から回転力が伝えられる１本の植付装置駆動軸９２が挿通されている。一方、チエンケース７２，…の後端部には植付装置取付軸９３，…が設けられており、これら両軸９２，９３，…に取り付けたスプロケット９５，…，９６，…にチエン９７，…が掛けられている。スプロケット９５，…の取付部には定位置クラッチ９８，が設けられ、作業を停止させたとき植付装置７４，…が定位置で動作を停止するようになっている。
　植付装置７４は、植付装置取付軸９３を中心として回転するロータリケース１００、該ロータリケースに取り付けた一対の植付杆１０１，１０１を備え、ロータリケース１００が所定方向に回転することにより、植付杆１０１，１０１が所定の軌跡を描きながら上下動しつつ、苗取出口８２に供給された苗を挾持してそれを圃場に植え付けてゆくように構成されている。
　連結部７０ｃ内にはカウンタ軸１１０、上部ケース７０ａ内には苗載台横送り軸１１１がそれぞれ支承されており、植付装置駆動軸９０からカウンタ軸１１０へ一対の非等径な横送り速度調節ギヤ１１３，１１４を介して伝動され、さらにカウンタ軸１１０から苗載台横送り軸１１１へ４組の苗取数切替ギヤ１１５（Ｉ〜ＩＶ），１１６（Ｉ〜ＩＶ）のうちのいずれか１組を介して伝動される。苗載台横送り軸１１１は外周部に螺旋状の溝１２０が形成された軸で、該溝に係合する爪１２１を有する係合メタル１２２がその周囲に摺動自在に嵌合している。係合メタル１２２には苗載台横送り軸１１１と平行な横移動棒１２３が一体に設けられ、該横移動棒の伝動ケース外に突出した両端部に取り付けた取付板１２５，１２５が苗載台７５側の取付板１２６，１２６に固着されている。苗載台横送り軸１１１が回転すると、溝１２０に沿って係合メタル１２２が移動し、これによって苗載台７５が左右に往復動させられ、最下段の苗が順次苗取出口８２に供給されるのである。前記苗取数切替ギヤ１１５（Ｉ〜ＩＶ），１１６（Ｉ〜ＩＶ）の組合せを任意に選択して、苗載台横送り軸１１１の回転速度を適当に設定することにより、苗載台横送り１行程当りの苗取り数を４段階に切り替えることができる。
　苗送り装置８１は一対のローラ１４０，１４１に無端の苗送りベルト１４２を掛けたもので、駆動側の苗送りローラ１４０を所定方向に回転させ、第１図における矢印方向に苗送りベルト１４２を移動させるようになっている。苗送りローラ軸１４３は同軸上に３本設けられており、それぞれが互いに独立に支承されているとともに、１本の苗送りローラ軸１４３に隣り合う２条分の苗送りローラ１４０，…が取り付けられている。このため、隣接する２条分を１組として苗送りローラと苗送りベルトを他のものから独立して着脱することができる。これら苗送りローラ軸１４３，…の駆動機構は次のように構成されている。
　すなわち、前記苗載台横送り軸１１１の延長軸１４５が伝動ケース７０の一方の側面部からケース外に突出し、該延長軸に苗載台横送り１ストローク分の間隔で一対の苗送りアーム１４６，１４６が取り付けられているとともに、この苗送りアーム１４６，１４６に対向する受動アーム１４７が、苗送りローラ軸１４３，…と同軸心のラチェット軸１４９に回動自在に嵌合されている。ラチェット軸１４９には受動アーム１４７に取り付けた爪１５０が係合するラチェットホイール１５１と該ラチェットホイールと一体に成形された中間軸駆動ギヤ１５２が嵌着されており、受動アーム１４７が回動するとラチェットホイール１５１および中間軸駆動ギヤ１５２が一定方向に回転するように構成されている。このようにラチェットホイール１５１と中間軸駆動ギヤ１５２を一体に成形しておくと作動が確実である。また、ラチェットホイール１５１の方が中間軸駆動ギヤ１５２よりも径が大きいので、爪１５０が中間軸駆動ギヤ１５２に干渉することがない。さらに、苗載台７５側には苗送りローラ軸１４３，…と平行に１本の中間軸１５４が支承されており、この中間軸１５４に前記中間軸駆動ギヤ１５２に噛合する中間軸従動ギヤ１５５と、苗送りローラ軸１４３，…の中央部に取り付けた苗送り従動ギヤ１５６，…に噛合する苗送り駆動ギヤ１５７，…が取り付けられている。各苗送り駆動ギヤ１５７，…は中間軸１５４に対し摺動自在に取り付けられ、クラッチレバー１５８，…でこれを操作することができるようになっている。
　苗載台７５が左右行程の端部に到達すると、常時回転している一対の苗送りアーム１４６，１４６のいずれか一方が受動アーム１４７に係合し、当該受動アームを所定方向に所定角度だけ回動させる。これによってラチェットホイール１５１および中間軸駆動ギヤ１５２が一定方向に回転させられ、その回転がギヤ１５２、ギヤ１５５、中間軸１５４、ギヤ１５７，…、ギヤ１５６，…、苗送りローラ軸１４３，…の順に伝えられる。ラチェット軸１４９から苗送りローラ軸１４３，…に増速して伝動されるように前記２組の伝動ギヤ１５２，１５５および１５７，１５６の歯数が設定されているので、苗送りベルト１４２，…の移動距離を充分に確保することができ、苗送り動作が確実なものとなっている。また、苗載台横送り軸の延長軸１４５から苗送りローラ軸１４３に直接伝動するのではなく、延長軸から中間軸１５４に一旦伝動したのち該中間軸から苗送りローラ軸１４３に伝動する構成とすることにより、苗送りローラ軸１４３を条ごとに独立に設けることが可能となっている。図示例では、３本の苗送りローラ軸１４３，…が設けられ１本の苗送りローラ軸１４３に２条分の苗送りローラ１４２，１４２が取り付けられている。この場合、苗送り従動ギヤ１５７は苗送りローラ軸１４３の中央部に設けておくのがよい。クラッチレバー１５８を操作して苗送り駆動ギヤ１５７と苗送り従動ギヤ１５６の噛合を解除することにより、隣接する２条分ごとに苗送りを停止させることができる。
　これら植付部４の下側に、中央センターフロート１６０と左右一対のサイドフロート１６１，１６１が設けられている。各フロート１６０，１６１，１６１の両側部に苗移植用の溝を成形する作溝器１６２，…が取り付けられている。各フロート１６０，１６１，１６１は、チエンケース７２，…に取り付けたフロート支持杆１６３，…の下端部に前部が上下動自在に枢支されている。センターフロート１６０の前部には上下動検出用の検出ロッド１６４が取り付けられており、該検出ロッドの検出結果に基づいて前記油圧シリンダ６７制御用の油圧バルブ１６５が駆動される。例えば圃場面が高くなってセンターフロート１６０の前部が上動すると、油圧シリンダ６７が伸びる方向に油圧バルブ１６５が駆動され、その結果植付部４が上昇する。圃場面が低くなった場合は上記と逆に動作する。
　施肥装置５は、肥料を貯蔵するホッパ１７０と、該ホッパ内の肥料を下方に繰り出す繰出器１７１と、該繰出器から繰り出された肥料を前記作溝器１６２によって形成された移植溝に導く播種パイプ１７２とを備えている。ホッパ１７０は隣接する２条ごとに共用されており、各々１つのホッパ１７０と２つの繰出機１７１，１７１とからなる計３組の本体部が、リンクベース枠６０の上に横設した角型パイプ製のエアタンク１７４に取り付けられ、側面視で操縦席２１と苗載台７５の間隔部に配置されている。各繰出機１７１，…内の繰出ロール１７１ａ，…は前記施肥伝動軸３３より伝動される繰出ロール駆動軸１７５によって駆動される。また、エンジンルーム内にブロワ１７７が設けられ、このブロワ１７７と前記エアタンク１７４とがエアパイプ１７８で接続されているとともに、各施肥パイプ１７２，…の始端部がエアタンク１７４に開口させて取り付けられている。このようにして、エンジンルーム内の温風を施肥パイプ１７２，…に供給することにより、パイプ内における肥料の流通が良好となるとともに、肥料がパイプ内で固化するのを防止する効果がある。
［発明の効果］
　以上に説明したように、本発明にかかる苗送り装置は、各条ごと又は隣接する２条分の苗送りベルト、ローラ等を他の条のものと独立に着脱することができるので、苗送りベルト移動量の調整やメンテナンスを容易に行なえるようになった。
【図面の簡単な説明】
　第１図は本発明の１例である田植機の植付部の側面図、第２図は苗送り装置駆動部の一部断面図、第３図は植付部フレームの展開断面図、第４図は乗用施肥田植機の側面図、第５図はその平面図である。
１……乗用施肥田植機、２……本機、３……リンク装置、４……植付部、５……施肥装置、７０……伝動ケース、７４……植付装置、７５……苗載台、８１……苗送り装置、９２……植付装置駆動軸、１１０……カウンタ軸、１１１……苗載台横送り軸、１２３……横移動棒、１４２……苗送りベルト、１４３……苗送りローラ軸、１４５……延長軸、１４６……苗送りアーム、１５１……ラチェットホイール、１５２……中間軸駆動ギヤ、１５５……中間軸従動ギヤ、１５４……中間軸、１５６……苗送り従動ギヤ、１５７……苗送り駆動ギヤ。